(57)【特許請求の範囲】
【請求項１】
製薬会社の端末と、医薬品に関する講演の配信者の端末と、医療用医薬品卸売業者の端末と、前記医薬品を使用する使用者の端末とを電気通信回線網で接続し、前記医療用医薬品卸売業者が前記医薬品の使用者に対して前記医薬品に関する講演を告知する広告を行うとともに前記医薬品に関する講演の配信者が前記医療用医薬品卸売業者に広告費用を支払う医療用医薬品卸売業者を主体とした製薬会社主催の講演会ライブ配信に関する集客広告システムであって、
前記医薬品に関する講演の配信者の端末は、
前記医療用医薬品卸売業者が前記医薬品の使用者に配布した広告に記載された固有の広告記号と前記医薬品の使用者に固有の使用者記号と前記医療用医薬品卸売業者に固有の販売者記号とを前記医療用医薬品卸売業者の端末から前記電気通信回線網を介して受信するとともに、受信した広告記号の個数に応じて前記医療用医薬品卸売業者に支払う広告費用を算出し、
前記医薬品の使用者が前記医療用医薬品卸売業者から配布された広告に記載された広告記号と前記医薬品の使用者に固有の使用者記号とを前記医薬品の使用者の端末から前記電気通信回線網を介して受信し、
前記医療用医薬品卸売業者の端末と前記医薬品の使用者の端末とからそれぞれ受信した広告記号と使用者記号とが一致する場合に、前記医薬品の使用者の端末に前記医薬品に関する講演を配信するとともに、受信した広告記号の個数に応じて前記医療用医薬品卸売業者に支払う広告費用を加算し、
前記販売者記号と前記使用者記号とを前記製薬会社の端末に送信することを特徴とする医療用医薬品卸売業者を主体とした製薬会社主催の講演会ライブ配信に関する集客広告システム。
【請求項２】
前記医薬品に関する講演の配信者の端末は、複数の異なる医療用医薬品卸売業者がいる場合に、前記医療用医薬品卸売業者の端末と前記医薬品の使用者の端末とからそれぞれ受信した広告記号と使用者記号とが一致する広告記号に対応する販売者記号と、前記医療用医薬品卸売業者の端末と前記医薬品の使用者の端末とからそれぞれ受信した広告記号と使用者記号とが一致しない広告記号に対応する販売者記号とに分けて前記製薬会社の端末に送信することを特徴とする請求項１に記載の医療用医薬品卸売業者を主体とした製薬会社主催の講演会ライブ配信に関する集客広告システム。
【発明の詳細な説明】
【技術分野】
【０００１】
本発明は、製薬会社の端末と、医薬品に関する講演の配信者の端末と、医療用医薬品卸売業者の端末と、前記医薬品を使用する使用者の端末とを電気通信回線網で接続し、前記医療用医薬品卸売業者が前記医薬品の使用者に対して前記医薬品に関する講演を告知する広告を行うとともに前記医薬品に関する講演の配信者が前記医療用医薬品卸売業者に広告費用を支払う医療用医薬品卸売業者を主体とした製薬会社主催の講演会ライブ配信に関する集客広告システムに関するものである。
【背景技術】
【０００２】
近年では、インターネットに代表される電気通信回線網の普及によって、医薬品の使用者が医薬品に関する講演を電気通信回線網を介して視聴することができる（たとえば、特許文献１参照。）。
【０００３】
従来においては、製薬会社自らが、配信者に依頼して医薬品に関する講演を作成するとともに、医薬品の使用者に対して講演の告知をする広告を行っている。
【０００４】
一方、医薬品については、製薬会社自らが使用者に直接的に販売することが禁止されており、製薬会社とは別の複数の医療用医薬品卸売業者が使用者に販売している。
【先行技術文献】
【特許文献】
【０００５】
【特許文献１】特開２００７−６００３２号公報
【発明の概要】
【発明が解決しようとする課題】
【０００６】
製薬会社に比べて医薬品の使用者が圧倒的に多数存在しているために、全ての使用者に対して製薬会社自らが広告を行うことは困難である。
【０００７】
また、医薬品等の医薬品では製薬会社自らが使用者に直接販売することが禁止されている場合もあり、使用者との直接的な接点の少ない製薬会社が広告を行っても望ましい広告効果が得られないおそれもある。
【課題を解決するための手段】
【０００８】
そこで、請求項１に係る本発明では、製薬会社の端末と、医薬品に関する講演の配信者の端末と、医療用医薬品卸売業者の端末と、前記医薬品を使用する使用者の端末とを電気通信回線網で接続し、前記医療用医薬品卸売業者が前記医薬品の使用者に対して前記医薬品に関する講演を告知する広告を行うとともに前記医薬品に関する講演の配信者が前記医療用医薬品卸売業者に広告費用を支払う医療用医薬品卸売業者を主体とした製薬会社主催の講演会ライブ配信に関する集客広告システムであって、前記医薬品に関する講演の配信者の端末は、前記医療用医薬品卸売業者が前記医薬品の使用者に配布した広告に記載された固有の広告記号と前記医薬品の使用者に固有の使用者記号と前記医療用医薬品卸売業者に固有の販売者記号とを前記医療用医薬品卸売業者の端末から前記電気通信回線網を介して受信するとともに、受信した広告記号の個数に応じて前記医療用医薬品卸売業者に支払う広告費用を算出し、前記医薬品の使用者が前記医療用医薬品卸売業者から配布された広告に記載された広告記号と前記医薬品の使用者に固有の使用者記号とを前記医薬品の使用者の端末から前記電気通信回線網を介して受信し、前記医療用医薬品卸売業者の端末と前記医薬品の使用者の端末とからそれぞれ受信した広告記号と使用者記号とが一致する場合に、前記医薬品の使用者の端末に前記医薬品に関する講演を配信するとともに、受信した広告記号の個数に応じて前記医療用医薬品卸売業者に支払う広告費用を加算し、前記販売者記号と前記使用者記号とを前記製薬会社の端末に送信することにした。
【０００９】
また、請求項２に係る本発明では、前記請求項１に係る本発明において、前記医薬品に関する講演の配信者の端末は、複数の異なる医療用医薬品卸売業者がいる場合に、前記医療用医薬品卸売業者の端末と前記医薬品の使用者の端末とからそれぞれ受信した広告記号と使用者記号とが一致する広告記号に対応する販売者記号と、前記医療用医薬品卸売業者の端末と前記医薬品の使用者の端末とからそれぞれ受信した広告記号と使用者記号とが一致しない広告記号に対応する販売者記号とに分けて前記製薬会社の端末に送信することにした。
【発明の効果】
【００１０】
そして、本発明では、以下に記載する効果を奏する。
【００１１】
すなわち、本発明では、使用者に医薬品を直接的に販売する医療用医薬品卸売業者が医薬品に関する講演の広告を使用者に対して行うことで、広告効果の向上が得られる。
【００１２】
これにより、製薬会社としては、自ら広告を行わなくても有効な広告効果が得られ、これまで広告に要していた労力や時間や費用を削減することができる。
【００１３】
また、医薬品に関する講演の配信者としては、広告効果の向上に伴って講演を実際に視聴する使用者の数を増大させることができる。
【００１４】
また、医療用医薬品卸売業者としては、広告費用が得られるばかりでなく、広告活動とともに医薬品の販売活動を行うことができ、円滑な営業活動が促進される。
【００１５】
さらに、医薬品の使用者としては、講演の視聴によって医薬品に関する十分な知識を得ることができる。
【図面の簡単な説明】
【００１６】
【図１】本発明の構成を模式的に示す説明図。
【図２】本発明の運用を模式的に示す説明図。
【図３】本発明の運用を模式的に示す説明図。
【図４】本発明の運用を模式的に示す説明図。
【図５】本発明の運用を模式的に示す説明図。
【図６】本発明におけるデータの構成を模式的に示す説明図。
【発明を実施するための形態】
【００１７】
以下に、本発明に係る医療用医薬品卸売業者を主体とした製薬会社主催の講演会ライブ配信に関する集客広告システム（以下、「本システム」という。）の具体的な構成や運用について図面を参照しながら説明する。
【００１８】
図１〜図５に示すように、本システム１では、製薬会社（医薬品の製造者）の端末（製造者端末２）と、医薬品に関する講演の配信者の端末（配信者端末３）と、医療用医薬品卸売業者（医薬品の販売者）の端末（販売者端末４ａ〜４ｃ）と、医薬品を使用する使用者の端末（使用者端末５ａ〜５ｃ）とが電気通信回線網６を介して接続されている。ここで、端末は、インターネットに代表される電気通信回線網６を利用して相互に通信する機能を有するコンピューター等の機器を指す。
【００１９】
そして、本システム１では、医療用医薬品卸売業者が医薬品の使用者に対して製薬会社が主催する医薬品に関する講演を告知する広告を行い、医薬品に関する講演の配信者が医療用医薬品卸売業者に対して広告費用を支払うシステムとなっている。
【００２０】
まず、本システム１では、製薬会社からの委託を受けて配信者が医薬品に関する講演を作成する。この講演は、医薬品の効能や使用方法等の医薬品に関する講演内容を撮影・録音して作成される。講演は、講演データが電気通信回線網６を介して配信者端末３から使用者端末５ａ〜５ｃに配信されることで使用者に視聴される。
【００２１】
また、本システム１では、製薬会社から配信者が講演を告知する広告の作成及び配布を委託される。この広告には、講演の内容等が記載され、更に１枚毎に固有の識別記号（広告記号）が記載されている。広告は、配信者から医療用医薬品卸売業者に渡され、医療用医薬品卸売業者が医薬品の使用者に対して配布する。使用者は、医療用医薬品卸売業者から配布された広告を見て、使用者端末５ａ〜５ｃを用いて配信者端末３にアクセスすることで、講演を視聴する。
【００２２】
この本システム１において、医療用医薬品卸売業者は、広告を医薬品の使用者に配布した場合に医療用医薬品卸売業者に固有の識別記号（販売者記号）と、広告を配布した使用者に固有の識別記号（使用者記号）と、その使用者に実際に配布した広告に記載されている広告記号とを、販売者端末４ａ〜４ｃから配信者端末３に送信する。なお、販売者記号や使用者記号は、配信者から予め付与されたものである。
【００２３】
これにより、本システム１では、配信者端末３は、医療用医薬品卸売業者が医薬品の使用者に配布した広告に記載された固有の広告記号と、医薬品の使用者に固有の使用者記号と、医療用医薬品卸売業者に固有の販売者記号とを医療用医薬品卸売業者端末４ａ〜４ｃから電気通信回線網６を介して受信する（図２参照。）。
【００２４】
たとえば、販売者記号４Ａの医療用医薬品卸売業者が、広告記号００１の広告を使用者記号５Ａの使用者に配布した場合、配信者端末３は、販売者端末４ａから販売者記号４Ａ、広告記号００１、使用者記号５Ａを含むデータを受信する。配信者端末３は、販売者端末４ａ〜４ｃから受信した販売者記号、広告記号、使用者記号に基づいて、配布された広告とその広告を配布した医療用医薬品卸売業者と広告が配布された使用者とを関連付ける一連の集計データとして広告配布データを作成する（図６参照。）。
【００２５】
そして、本システム１では、配信者端末３は、販売者端末４ａ〜４ｃから受信した広告記号の個数に応じて医療用医薬品卸売業者に支払う広告費用を算出する。その場合に、配信者端末３は、広告配布データを用いて表計算処理することで、医療用医薬品卸売業者毎の広告配布数を求めた広告配布集計データを作成する。なお、広告費用としては、医療用医薬品卸売業者毎に予め設定された広告の配布に対する単価を医療用医薬品卸売業者毎の広告配布数に乗じることで算出できる。
【００２６】
広告を配布された使用者は、使用者端末５ａ〜５ｃを用いて配信者端末３にアクセスすることで講演を視聴する。
【００２７】
その際に、使用者は、使用者端末５ａ〜５ｃから使用者記号だけでなく、広告記号を配信者端末３に送信するよう要求される。この要求に応じて、使用者は、使用者記号と広告記号とを、使用者端末５ａ〜５ｃから配信者端末３に送信する。
【００２８】
これにより、本システム１では、医薬品の使用者が医療用医薬品卸売業者から配布された広告に記載された広告記号と、医薬品の使用者に固有の使用者記号とを医薬品の使用者端末５ａ〜５ｃから電気通信回線網６を介して受信する（図３参照。）。
【００２９】
たとえば、使用者記号５Ｂの使用者が、販売者記号４Ｃの医療用医薬品卸売業者から配布された広告記号０２２の広告を見て講演を視聴した場合、配信者端末３は、使用者端末５ｂから使用者記号５Ｂ、広告記号０２２を含むデータを受信する。配信者端末３は、使用者端末５ａ〜５ｃから受信した使用者記号、広告記号に基づいて、講演を視聴した使用者とその契機となった広告とを関連付ける一連の集計データとして講演視聴データを作成する（図６参照。）。
【００３０】
また、配信者端末３は、販売者端末４ａ〜４ｃから受信した広告記号と使用者記号と、使用者端末５ａ〜５ｃから受信した広告記号と使用者記号とを比較し、販売者端末４ａ〜４ｃと使用者端末５ａ〜５ｃとからそれぞれ受信した広告記号と使用者記号とが一致する場合に限って、使用者端末５ａ〜５ｃに医薬品に関する講演を収録した講演データを配信する（図４参照。）。
【００３１】
たとえば、使用者記号５Ｃの使用者から広告記号００３に基づいて講演の視聴の要求がされた場合には、配信者端末３は、広告配布データから広告記号００３の広告が使用者記号５Ｃの使用者に販売者記号４Ａの医療用医薬品卸売業者から配布されたことを検出し、使用者記号５Ｃの使用者から受信した広告記号００３及び使用者記号５Ｃが販売者記号４Ａの医療用医薬品卸売業者から受信した広告記号００３及び使用者記号５Ｃと一致すると判断し、使用者記号５Ｃの使用者に対して講演の視聴を許可する。配信者端末３は、使用者端末５ａ〜５ｃから受信した使用者記号、広告記号に基づいて、その広告（使用者が講演を視聴する契機として有効に機能した広告）を配布した医療用医薬品卸売業者とを関連付ける一連の集計データとして有効広告配布データを作成する（図６参照。）。
【００３２】
そして、本システム１では、配信者端末３は、使用者端末５ａ〜５ｃから受信した広告記号の個数に応じて医療用医薬品卸売業者に追加して支払う広告費用を算出する。その場合に、配信者端末３は、有効広告配布データを用いて表計算処理することで、医療用医薬品卸売業者毎の有効広告数を求めた有効広告集計データを作成する。なお、加算する広告費用としては、医療用医薬品卸売業者毎に予め設定された有効な広告の配布に対する単価を医療用医薬品卸売業者毎の有効広告数に乗じることで算出できる。
【００３３】
配信者は、医療用医薬品卸売業者に対して広告費用として、広告配布数に応じた費用に有効広告数に応じた費用を加算した費用を支払う。
【００３４】
また、配信者は、製薬会社に対して医療用医薬品卸売業者毎の広告実績を報告する。その場合には、配信者端末３が製造者端末２に販売者記号と使用者記号とを送信する（図５参照。）。その際に、配信者端末３は、販売者端末４ａ〜４ｃと使用者端末５ａ〜５ｃとからそれぞれ受信した広告記号と使用者記号とが一致する広告記号に対応する販売者記号と、販売者端末４ａ〜４ｃと使用者端末５ａ〜５ｃとからそれぞれ受信した広告記号と使用者記号とが一致しない広告記号に対応する販売者記号とに分けて製造者端末２に送信する。
【００３５】
たとえば、使用者記号５Ｂの使用者に対して販売者記号４Ａ、４Ｂ、４Ｃの医療用医薬品卸売業者から広告が配布されたが、使用者が販売者記号４Ｃの医療用医薬品卸売業者から配布された広告に基づいて講演を視聴した場合、広告を配布したが講演の視聴に繋がらなかった広告を配布した医療用医薬品卸売業者の販売者記号４Ａ、４Ｂと、講演の視聴に繋がった広告を配布した医療用医薬品卸売業者の販売者記号４Ｃとが区別できるようにして製薬会社に報告する。その際に、配信者端末３は、広告配布データと有効広告配布データとを用いて表計算処理することで、広告が配布された使用者と講演の視聴に繋がる広告を配布した医療用医薬品卸売業者と講演の視聴に繋がらなかった広告を配布した医療用医薬品卸売業者とを関連付ける一連の集計データとして報告データを作成し、その報告データを製造者端末２に送信する。
【００３６】
以上に説明したように、上記本システム１では、製薬会社が自ら講演を告知する広告を行うのではなく、医療用医薬品卸売業者が医薬品の使用者に対して医薬品に関する講演を告知する広告を行い、医薬品に関する講演の配信者が医療用医薬品卸売業者に対して広告費用を支払うシステムとなっている。
【００３７】
そのため、上記本システム１では、医薬品の使用者に医薬品を直接的に販売する医療用医薬品卸売業者が医薬品に関する講演の広告を使用者に対して行うことで、広告効果の向上が得られる。
【００３８】
そして、製薬会社としては、自ら広告を行わなくても有効な広告効果が得られ、これまで広告に要していた労力や時間や費用を削減することができる。
【００３９】
また、医薬品に関する講演の配信者としては、広告効果の向上に伴って講演を実際に視聴する使用者の数を増大させることができる。
【００４０】
また、医療用医薬品卸売業者としては、広告費用が得られるばかりでなく、広告活動とともに医薬品の販売活動を行うことができ、円滑な営業活動が促進される。
【００４１】
さらに、医薬品の使用者としては、講演の視聴によって医薬品に関する十分な知識を得ることができる。
【００４２】
なお、本発明は、医薬品以外の商品を製造や販売する製造者や販売者についても適用することができる。
【符号の説明】
【００４３】
１  本システム
２  製造者端末
３  配信者端末
４ａ〜４ｃ  販売者端末
５ａ〜５ｃ  使用者端末
６  電気通信回線網
【図１】
0005931035.tif 000002
【図２】
0005931035.tif 000003
【図３】
0005931035.tif 000004
【図４】
0005931035.tif 000005
【図５】
0005931035.tif 000006
【図６】
0005931035.tif 000007